(57)【要約】【課題】  梱包を開いた後の取り扱いや保管に手間のかかることのないリユース使用に好適なプラスチックス製の梱包材の提供。【解決手段】  折り曲げ可能であってその折り曲げ状態において被梱包物に沿うように装着されて梱包に使用され、非使用時には折り曲げ状態が解除されることで複数個のものが積層可能であるプラスチックス製梱包材。【選択図】    図１
2005306478.tif 000002
【特許請求の範囲】
【請求項１】
折り曲げ可能であってその折り曲げ状態において被梱包物に沿うように装着されて梱包に使用され、非使用時には折り曲げ状態が解除されることで複数個のものが積層可能であるプラスチックス製梱包材。
【請求項２】
折り畳み可能であってその折り畳みが開かれた状態において被梱包物に沿うように装着されて梱包に使用され、非使用時には折り畳み状態とされることで複数個のものが積層可能であるプラスチックス製梱包材。
【発明の詳細な説明】
【技術分野】
【０００１】  この発明は、建材や住宅設備機器等の梱包に使用される梱包材に関する。
【背景技術】
【０００２】  現在建材等の梱包はダンボールを使用して行なうのが主流である。しかしながら、このダンボールは基本的に使い捨てであり、資源の有効利用の観点において好ましくない。これに対して最近ではリュース使用が可能なプラスチックス製の梱包材が提供されている。この梱包材は梱包が容易に行なわれるように被梱包体の形状に沿うように成形されている。
【発明の開示】
【０００３】  梱包材は製品と一体となって施工現場に搬入され、梱包が解かれた後回収されるが、その工程における取り扱いに際して現状のプラスチックス製の梱包材は次のような問題がある。すなわち、現状のプラスチックス製の梱包材は上記のように被梱包体の形状に沿うように立体的に成形されているのでカサ高く、したがってその回収時の取り扱いに手間がかかるとともに、回収輸送の際に運搬車両に広いスペースが必要となり回収コストも高くなる。また、施工現場に搬入された際、実際にはすぐ梱包は解かれず、施工の流れの中でその製品の必要時に梱包が解かれることとなるが、その後回収時までは梱包材は現場に保管され、その際にも現状のものは広い保管スペースが必要され、かつ、保管状態も煩雑な状態となる。
【発明が解決しようとする課題】
【０００４】  この発明では、梱包を開いた後の取り扱いや保管に手間のかかることのないリュース使用に好適なプラスチックス製の梱包材を提供することを目的とする。
【課題を解決するための手段】
【０００５】  請求項１の発明では、折り曲げ可能であってその折り曲げ状態において被梱包物に沿うように装着されて梱包に使用され、非使用時には折り曲げ状態が解除されることで複数個のものが積層可能であるプラスチックス製梱包材を提供する。
【０００６】  請求項２の発明では、折り畳み可能であってその折り畳みが開かれた状態において被梱包物に沿うように装着されて梱包に使用され、非使用時には折り畳み状態とされることで複数個のものが積層可能であるプラスチックス製梱包材を提供する。
【０００７】  上記それぞれの発明の構成によれば、非使用時には積層可能なプラスチックス製梱包材が得られ、これにより、使用後の保管や運搬等に際してスペースを取らず、また、その取り扱いも容易となる。
【０００８】  梱包材成形のためのプラスチックス材料としては適宜ものが使用可能であるが、折り曲げや折り畳みを繰り返し行なう際に破損することがないように耐屈曲性に優れるものを用いることが好ましく、例えば、ポリプロピレン樹脂やハイインパクトスチレン樹脂等を用いる。特に耐屈曲性を高めるためにガラス繊維等を混入してもよく、その混入を屈曲部位のみとするように成形することも可能である。
【発明の効果】
【０００９】  この発明によれば、梱包を開いた後の取り扱いや保管に手間のかかることのないリュース使用に好適なプラスチックス製の梱包材が得られるようになる。
【発明を実施するための最良の形態】
【００１０】  図１はこの発明（請求項１）の梱包材の実施形態の平面図、図２は側面図、図３は部分拡大側面図、図４は部分拡大正面図である。梱包材１はプラスチックス製で、長さが１、８５０ｍｍ、巾が２５７ｍｍ、厚さが２ｍｍであり、建材の梱包に使用されるものである。梱包材１の内面側にはその長手方向に沿って平行に２本の折り曲げ溝３が形成されるとともに、１箇所においてその折り曲げ溝３に対して直交するように１本の折り曲げ溝４が形成されている。これら折り曲げ溝３、４それぞれが設けられていることで、梱包材１は長手方向の一箇所で折り曲げ可能であるとともに、その折り曲げ状態において両側縁部が相対するように折り曲げ可能に構成されている。また、折り曲げ溝４の形成位置の両側位置には９０度強の切り欠き部６それぞれが形成されるとともに両端位置の両側位置それぞれにも４５度強の切り欠き部７それぞれが形成されている。８のそれぞれは外面側に長手方向に直交する方向に設けられる堤部である。【００１１】  図５から図７を用いて上記梱包材１を用いての６枚重ねの建材１０の梱包構成を説明する。まず、梱包に際して上記梱包材１を折り曲げ溝３、４位置で折り曲げることで断面形状がコ字型で全体形状がＬ字型の形態とする。このような形態とした２個の梱包材１を両側から建材１０を嵌設して装着する。この装着に際しては建材の４つの角部にプラスチックス発泡体よりなる緩衝材１２を介在させる。次に、建材１０に２個の梱包材１を一体としたものの４つの角部それぞれにプラスチックス製の角キャップ１３それぞれを装着し、さらに、両端部分を２本のプラスチック製のバンド１４で緊締して全体を固定する。【００１２】  図８は上記角キャップ１３の平面図、図９はその拡大断面図であり、その上下面には直交する方向に上記バンド１４の位置決め溝１６が形成されるともに、その内面側には曲がり形状に２個の堤部１７それぞれが形成されている。緊締の際バンド１４は角キャップ１３の位置決め溝１６内に位置決めされることで安定して位置づれすることがない。角キャップ１３の位置決め溝１６内には一方向のみにおいてバンドが位置するが、４角部に兼用できるように直交配置されているものである。梱包材１と角キャップ１３との対応する位置に堤部８、１７が形成されていて、それらが互いに係合する状態、すなわち、堤部８それぞれが堤部１７それぞれの間の谷間に入り込む状態とされることで角キャップ１３が梱包材１に対して所定位置に安定して装着されるようになっている。【００１３】  梱包が解かれた状態において梱包材１は復元して開き状態となり、図１０に示すように、多数個のものが積層された状態において回収されるまで保管される。このように使用後梱包材１が復元状態とされ多数個のものが積層されたコンパクトな状態とできることで、狭いスペースにおいて整然とした状態に保管できる。さらに、運搬車両の積載スペース効率も良くなるとともに、その取り扱いもカサ高くないことで容易に行なえる。【００１４】  図１１から図１３は上記梱包材を用いてのシステムキッチンのワークトップ２０の梱包構成を示す。ワークトップ２０は上下逆として梱包し、上下の両側部に厚み調整部材２５それぞれを設けた状態とし��建材１０の場合と同様に２個の梱包材１を両側から嵌設して装着する。ワークトップ２０の下面に突出するシンク２２と排水部品２１部分には別個のプラスチックス製のカバー２６を装着し、その部分をもバンド２７で一体に固定している。使用後カバー２６も図１４に示すような積層状態とされて保管される。【００１５】  図１５は他の実施形態を示し、このものでは梱包材１において上記実施形態のものにおける折り曲げ溝３それぞれの間にさらに折り曲げ溝９を設けている。このように折り曲げ溝９を設けたことでその部分でさらに折り曲げることで断面がＷ字状となるようにでき、これにより図１６に示すように平面形状がさらにコンパクトな積層形態を可能としている。この梱包材１は上記の実施形態のものと同様に用いられ、また、保管も同様に積層されたコンパクト状態において行なわれる。【００１６】  図１７はさらに他の実施形態を示し、このものでは２個の梱包材３０、３１が組み合わせ使用される。梱包材３０は長手方向において２箇所で折り曲げられる構成とされ、梱包材３１は長手方向においては折り曲げられることなく用いられる。図１８から図２０は上記梱包材３０、３１を用いてのシステムキッチンのワークトップ２０の梱包構成を示す。ワークトップ２０の端部に梱包材３０のそれぞれが、側部に梱包材３１のそれぞれが装着使用され、その際、梱包材３０の端部内側に梱包材３１の端部が納められる。梱包材３０、３１それぞれの保管は上記それぞれの実施形態のものと同様に積層されたコンパクト状態において行なわれる。この実施形態の構成によれば、梱包材３１として長さ寸法が異なるものを用意することで、長さの異なる物品の梱包に対応できる。【００１７】  図２１はさらに他の実施形態の平面図、図２２は外観斜視図である。梱包材１００は長方形でその４つの角部に切り欠き１０１それぞれが    形成されると  ともに、一方面側に切り欠き１０１の頂部それぞれをつなぐように折り曲げ溝１０２が形成されていることで、４辺の縁部１０４それぞれがその一方面側に折り曲げ可能に構成されている。外面側には２本の凸状１０５が一体に設けられ、それら凸状１０５面にはその長手方向に沿って緊締されるバンドの位置決め溝１０６が凹設されている。【００１８】  図２３は上記梱包材１００を用いての家具の梱包構成を示す。梱包材１００は家具１１０の上下両面に配置されて家具１１０の形状に沿うように折り曲げられ、その角部それぞれに、図２４に示すような角キャップ１０７が装着されるとともに、その部分がバンド１０８で緊締されて固定されている。図２５は梱包材１００と角キャップ１０７との納まりを示す断面図で、梱包材１００に形成される凸条１０５の端部に角キャツプ１０７に形成される凹所１０９が嵌り込み、これにより角キャップ１０７の位置決め取り付けが安定して行なわれるようになっている。また、角キャップ１０７には凹所１０９から連続してバンド１０８の位置決め溝１１１が形成されており、このような構成によりバンド１０８が梱包材の位置決め溝１０６とその位置決め切り欠き１１１とに沿って位置決めされるようになっている。【００１９】  梱包が解かれた状態において梱包材１００は復元して開き状態となり、多数個���ものが積層された状態において回収されるまで保管される。【００２０】  図２６は上記角キャツプ１０７を用いることなく梱包材１００の縁部１０４それぞれの合わせ部の開きを押さえる他の実施形態を示す。このものでは縁部１０４それぞれの対応する位置に連結穴１１５それぞれを設け、縁部１０４それぞれの合わせ部の内面に沿うように取り付けられるＬ字型の金具１１６の端部１１７それぞれをその連結穴１１５それぞれから突出させて折り曲げ係止するようにして固定している。【００２１】  図２７はこの発明（請求項２）の梱包材の実施形態の外観斜視図である。梱包材２００はプラスチックス製で、平面形状が長方形で上方が開放した箱形状となっており、相対する一対の側壁２０１の内面に、図２８に示すように折り畳み用の溝２０２が形成されるとともに、さらに、側壁２０１と隣接する側壁２０３との連接部の内側に沿って、さらにそれぞれの側壁２０１、２０３と底部２０５の連接部の内側に沿って折り畳み用の溝２０６が形成されている。そして、それら折り畳み溝２０２、２０６において折り畳まれることにより側壁２０１、２０３がともに底部２０５上に折り畳まれる。したがって、梱包が開かれた後は図２９に示すような折り畳み状態とされて保管される。この梱包材２００は、図２１に示す梱包材１００と同様に被梱包体の上下両面に配置使用されるが、その際に角キャツプは必要としない。
【図面の簡単な説明】
【図１】この発明の梱包材の実施形態の平面図
【図２】この発明の梱包材の実施形態の側面図
【図３】この発明の梱包材の実施形態の部分拡大側面図
【図４】この発明の梱包材の実施形態の図１のＡ−Ａ部分拡大正面図
【図５】この発明の梱包材の実施形態の使用説明図
【図６】この発明の梱包材の実施形態の使用説明図
【図７】この発明の梱包材の実施形態の使用説明図
【図８】この発明の梱包材の実施形態の使用に際して用いる角キャップの平面図
【図９】この発明の梱包材の実施形態の使用に際して用いる角キャップの拡大断面図
【図１０】この発明の梱包材の実施形態の積層状態を示す斜視図
【図１１】この発明の梱包材の実施形態の異なる方法での使用説明図
【図１２】この発明の梱包材の実施形態の異なる方法での使用説明図
【図１３】この発明の梱包材の実施形態の異なる方法での使用説明図
【図１４】この発明の梱包材の実施形態の使用に際して用いるカバーの積層状態を示す斜視図
【図１５】この発明の梱包材の異なる実施形態の斜視図
【図１６】この発明の梱包材の異なる実施形態の積層状態を示す斜視図
【図１７】この発明の梱包材のさらに異なる実施形態の斜視図
【図１８】この発明の梱包材のさらに異なる実施形態の使用説明図
【図１９】この発明の梱包材のさらに異なる実施形態の使用説明図
【図２０】この発明の梱包材のさらに異なる実施形態の使用説明図
【図２１】この発明の梱包材のさらに異なる実施形態の平面図
【図２２】この発明の梱包材のさらに異なる実施形態の斜視図
【図２３】この発明の梱包材のさらに異なる実施形態の使用説明図
【図２４】この発明の梱包材のさらに異なる実施形態における角キャップの斜視図
【図２５】この発明の梱包材のさらに異なる実施形態における角キャップ使用部分の縦方向断面図
【図２６】この発明の梱包材のさらに異なる実施形態における角キャップの固定説明のための斜視図
【図２７】この発明の梱包材のさらに異なる実施形態の斜視図
【図２８】この発明の梱包材のさらに異なる実施形態の側壁内面図
【図２９】この発明の梱包材のさらに異なる実施形態の折り畳み状態の斜視図
【符号の説明】
１  梱包材
３  折り曲げ溝
４  折り曲げ溝
６  切り欠き部
７  切り欠き部
【図１】
2005306478.tif 000003
【図２】
2005306478.tif 000004
【図３】
2005306478.tif 000005
【図４】
2005306478.tif 000006
【図５】
2005306478.tif 000007
【図６】
2005306478.tif 000008
【図７】
2005306478.tif 000009
【図８】
2005306478.tif 000010
【図９】
2005306478.tif 000011
【図１０】
2005306478.tif 000012
【図１１】
2005306478.tif 000013
【図１２】
2005306478.tif 000014
【図１３】
2005306478.tif 000015
【図１４】
2005306478.tif 000016
【図１５】
2005306478.tif 000017
【図１６】
2005306478.tif 000018
【図１７】
2005306478.tif 000019
【図１８】
2005306478.tif 000020
【図１９】
2005306478.tif 000021
【図２０】
2005306478.tif 000022
【図２１】
2005306478.tif 000023
【図２２】
2005306478.tif 000024
【図２３】
2005306478.tif 000025
【図２４】
2005306478.tif 000026
【図２５】
2005306478.tif 000027
【図２６】
2005306478.tif 000028
【図２７】
2005306478.tif 000029
【図２８】
2005306478.tif 000030
【図２９】
2005306478.tif 000031